(57)【特許請求の範囲】
【請求項１】
無線通信システムにおける移動装置のマルチメディア・ブロードキャスト・マルチキャスト・サービス（ＭＢＭＳ）受信を処理する方法であって、前記方法は、
複数のコンポーネント・キャリアをイネーブルする段階と、
前記移動装置がイネーブルされた第１のコンポーネント・キャリアでＭＢＭＳ単一周波数ネットワーク（ＭＢＳＦＮ）アロケーションを受信したとき、前記ＭＢＳＦＮアロケーションを、イネーブルされた第１のコンポーネント・キャリアに適用し、イネーブルされた残りのコンポーネント・キャリアには適用しない段階とを有する、方法。
【請求項２】
前記移動装置が無線リソース制御接続モードにあるとき、イネーブルされた第２のコンポーネント・キャリアのサブフレームがＭＢＭＳデータの受信に用いるＭＢＳＦＮサブフレームではないと判断する段階をさらに有し、
前記サブフレームのサブフレーム時間はＭＢＳＦＮサブフレーム時間としてコンフィギュレーションされたサブフレーム時間に対応する、
請求項１に記載の方法。
【請求項３】
前記イネーブルされた第２のコンポーネント・キャリアを介して非ＭＢＭＳデータを受信する段階をさらに有する、請求項１に記載の方法。
【請求項４】
前記イネーブルされた第２のコンポーネント・キャリアは拡張キャリアである、請求項３に記載の方法。
【請求項５】
ＭＢＭＳ受信を処理する無線通信システムの通信装置であって、
複数のコンポーネント・キャリアをイネーブルする手段と、
前記移動装置がイネーブルされた第１のコンポーネント・キャリアでＭＢＳＦＮアロケーションを受信したとき、前記ＭＢＳＦＮアロケーションを、イネーブルされた第１のコンポーネント・キャリアに適用し、イネーブルされた残りのコンポーネント・キャリアには適用しない手段とを有する、通信装置。
【請求項６】
前記移動装置が無線リソース制御接続モードにあるとき、イネーブルされた第２のコンポーネント・キャリアのサブフレームがＭＢＭＳデータの受信に用いるＭＢＳＦＮサブフレームではないと判断する手段をさらに有し、
前記サブフレームのサブフレーム時間はＭＢＳＦＮサブフレーム時間としてコンフィギュレーションされたサブフレーム時間に対応する、
請求項５に記載に通信装置。
【請求項７】
前記イネーブルされた第２のコンポーネント・キャリアを介して非ＭＢＭＳデータを受信する手段をさらに有する、請求項５に記載の通信装置。
【請求項８】
前記イネーブルされた第２のコンポーネント・キャリアは拡張キャリアである、請求項７に記載の通信装置。
【発明の詳細な説明】
【技術分野】
【０００１】
本発明は、無線通信システム及び関連する通信装置において用いられる方法に関し、より具体的には、無線通信システム及び関連する通信装置におけるマルチメディア・ブロードキャスト・マルチキャスト・サービス受信の処理方法に関する。
【背景技術】
【０００２】
［関連出願への相互参照］
本出願は、２００９年９月２日に出願した米国仮出願第６１／２３９，０６７号（発明の名称「無線通信システム及び関連する通信装置におけるＭＢＭＳ送受信の処理方法」）の利益を主張するものであり、ここにその内容を援用する。
［背景技術］
第３世代パートナーシッププロジェクト（３ＧＰＰ）により始められたロングターム・エボルーション（ＬＴＥ）システムは、高いデータレート、小さいレイテンシ、パケット最適化、及び向上したシステムキャパシティとカバレッジを提供する新しい無線インタフェース及び無線ネットワークアーキテクチャとみなされている。ＬＴＥシステムでは、Ｅ−ＵＴＲＡＮ（evolved  universal  terrestrial  radio  access  network）として知られる無線アクセスネットワークは、複数のユーザ装置（ＵＥs）と通信する複数のｅＮＢ（evolved  Node-B）を含み、ＮＡＳ（Non  Access  Stratum）制御用のＭＭＥ（mobility  management  entity）、サービス・ゲートウェイなどを含むコアネットワークと通信する。ロングターム・エボルーション−アドバンス（ＬＴＥ−Ａ）システムは、その名称が示すように、ＬＴＥシステムの進化形であり、キャリア・アグリゲーションとリレー展開の機能を有している。キャリア・アグリゲーションは、２つ以上のコンポーネント・キャリアを一体化（aggregate）するものであり、これによりＬＴＥ−ＡシステムのＵＥは、複数キャリアを介して同時にデータを送受信でき、この場合、ＬＴＥシステムのＵＥは、常に、データ送信に１つのキャリアのみを利用できる。
【０００３】
ＬＴＥ−Ａシステムのコンポーネント・キャリアには、３つのタイプがある：下位互換性キャリア、非下位互換性キャリア、及び拡張キャリア。下位互換性キャリアはすべてのＬＴＥリリース（例えば、リリース８、９、または１０（Ｒｅｌ−８／９／１０）のＵＥ）のＵＥにアクセス可能なキャリアである。非下位互換性キャリアは、以前のＬＴＥリリースのＵＥにはアクセス可能でないが、かかるキャリアを規定するリリースのＵＥにはアクセス可能なキャリアである。拡張キャリアは、スタンドアロンでは動作せずに、そのセット中の複数のキャリアのうち少なくとも１つがスタンドアロン動作可能なキャリアであるコンポーネント・キャリアセットの一部でなければならないキャリアである。
【０００４】
E−ＵＴＲＡＮでは、マルチメディア・ブロードキャスト・マルチキャスト・サービス（ＭＢＭＳ）は、ＭＢＭＳ専用の周波数レイヤ（ＭＢＭＳ送信専用のセルのセット、すなわち「ＭＢＭＳ専用セル」のセット）に、及び／または非ＭＢＭＳサービスと共用の周波数レイヤ（ユニキャストとＭＢＭＳ送信の両方をサポートするセルのセット、すなわち、「ユニキャスト／ＭＢＭＳ混合セル」のセット）に、設けられる。どちらの場合でも、ＭＢＭＳ送信のために単一周波数ネットワーク動作モードが可能であり、ＭＢＳＦＮとして知られている。ＲＲＣ＿ＣＯＮＮＥＣＴＥＤ状態またはＲＲＣ＿ＩＤＬＥ状態にあるＵＥについて、ＭＢＭＳ受信が可能である。
【０００５】
ＭＢＳＦＮ同期エリアは、エリアすべてのｅＮＢを同期して、ＭＢＳＦＮ送信を実行できるネットワークのエリアである。ＭＢＳＦＮ同期エリアは、１つ以上のＭＢＳＦＮエリアをサポートできる。ある周波数レイヤにおいて、ｅＮＢは１つのＭＢＳＦＮ同期エリアにのみ属すことができる。
【０００６】
ＭＢＳＦＮエリアは、ネットワークのＭＢＳＦＮ同期エリア内のセルのグループよりなる。これらはＭＢＳＦＮ送信を実現するように調整されている。ＭＢＳＦＮエリア予約セルを除いて、ＭＢＳＦＮエリア内のすべてのセルは、ＭＢＳＦＮ送信に貢献し、自分が利用可能であることをアドバタイズする。ＭＢＳＦＮ同期エリア内のセルは、すべてのＭＢＭＳサービスに対して唯一のＭＢＳＦＮエリアに属する。
【０００７】
ＭＢＳＦＮ送信のために予約されたサブフレームアロケーションは、ＭＢＳＦＮ送信用のサブフレーム数及び関連する無線フレーム期間及びオフセットのパラメータを含むシステム情報ブロック２（ＳＩＢ２）により転送できる。
【０００８】
ｅＮＢは、（例えば、ＬＴＥシステムにおいて）単一コンポーネント・キャリアの場合（または、例えば、ＬＴＥ−Ａ  ＵＥにおいて唯一のコンポーネント・キャリアがイネーブルされた場合）のみ、上記のやり方でＵＥに、ＭＢＳＦＮサブフレームを割り当て、ＭＢＳＦＮアロケーションをシグナリングできる。しかし、ＬＴＥ−Ａ  ＵＥは、同時に複数のコンポーネント・キャリアをイネーブルでき、コンポーネント・キャリアは、異なるタイプのコンポーネント・キャリア（例えば、下位タイプ、非下位タイプ、または拡張タイプ）としてイネーブルされ得る。そのため、次のシナリオとなる。イネーブルされたキャリア・アグリゲーションを有するＵＥは、ＭＢＳＦＮアロケーションが拡張キャリアに適用されたと考えるが、ネットワークは適用していない。この場合、サブフレーム時間が拡張キャリアのＭＢＳＦＮサブフレーム時間に対応するサブフレームでは、ＵＥはダウンリンクデータ（ユニキャストデータ）を受信しない。しかし、ネットワークは、そのサブフレームにおいてダウンリンクデータを送信しているので、データ損失が発生する。
【０００９】
また、ＵＥがｍ個のコンポーネント・キャリアでデータを送受信でき、ＭＢＭＳ専用コンポーネント・キャリアでＭＢＭＳサービスを受信するとき、ＵＥがどのようにデータアクセスを実行し、進行中のＭＢＭＳサービス受信を処理するかは問題ではない。さらに、ネットワークは、異なるＬＴＥシステム・バージョン（例えば、リリース８、９または１０ＵＥ（Ｒｅｌ−８／９／１０ＵＥ））のＵＥに同時にサービスすることができ、それゆえ複数のＵＥのＵＥ管理は、ＭＢＭＳサービスのリソース（例えば、セル／コンポーネント・キャリア／周波数レイヤ）展開時に、問題となる。または、Ｒｅｌ−８またはＲｅｌ−９のＵＥは、セル選択または再選択のため、ＭＢＭＳ専用周波数のセルにキャンプオン（camp  on）する。しかし、ＭＢＭＳ専用周波数のセルは、ＵＥがユニキャストデータ（例えば、ボイスオーバＩＰ（Voice  over  Internet  Protocol（VoIP））コールに関するデータ）を送信または受信しないように、ユニキャストデータ送受信をサポートしない。
【先行技術文献】
【非特許文献】
【００１０】
【非特許文献１】3GPP  TR  36.814  V0.4.1  Technical  Specification  Group  Radio  Access  Network;  Further  Advancements  for  E-UTRA  Physical  Layer  Aspects  (Release  9)
【非特許文献２】3GPP  TSG  RAN  WG1  Meeting  #57bis  R1-092575  "Summary  of  email  discussion  on  carrier  aggregation  terminology"
【非特許文献３】3GPP  TS  36.300  V9.0.0  Evolved  Universal  Terrestrial  Radio  Access  (E-UTRA)  and  Evolved  Universal  Terrestrial  Radio  Access  Network  (E-UTRAN);  Overall  description
【非特許文献４】3GPP  TS  36.331  V8.6.0  Evolved  Universal  Terrestrial  Radio  Access  (E-UTRA)  Radio  Resource  Control  (RRC)
【発明の概要】
【発明が解決しようとする課題】
【００１１】
それゆえ、本開示は、マルチメディア・ブロードキャスト・マルチキャスト・サービス（ＭＢＭＳ）受信を処理する方法及び関連する通信装置を提供して、上記のデータ損失及びリソースアロケーション不良を回避する。
【課題を解決するための手段】
【００１２】
無線通信システムにおける移動装置のマルチメディア・ブロードキャスト・マルチキャスト・サービス（ＭＢＭＳ）受信を処理する方法を開示する。前記方法は、複数のコンポーネント・キャリアをイネーブルする段階と、前記移動装置が第１のイネーブルされたコンポーネント・キャリアで前記ＭＢＳＦＮアロケーションを受信したとき、ＭＢＭＳ単一周波数ネットワーク（ＭＢＳＦＮ）アロケーションを、第１のイネーブルされたコンポーネント・キャリアに適用し、残りのイネーブルされたコンポーネント・キャリアには適用しない段階とを有する。
【００１３】
無線通信システムにおいて移動装置のマルチメディア・ブロードキャスト・マルチキャスト・サービス（ＭＢＭＳ）受信を処理する方法を開示する。前記方法は、前記移動装置がＭＢＭＳ専用コンポーネント・キャリアでＭＢＭＳデータを受信したとき、第１のコンポーネント・キャリアでデータ交換を実行する段階であって、前記第１のコンポーネント・キャリアは非ＭＢＭＳデータのデータ交換をサポートする段階を有する。
【００１４】
無線通信システムにおいて移動装置のマルチメディア・ブロードキャスト・マルチキャスト・サービス（ＭＢＭＳ）受信を処理する方法を開示する。前記方法は、前記移動装置が無線リソース制御アイドルモードにあるとき、データ受信用の少なくとも２つのコンポーネント・キャリアをイネーブルする段階を有する。
【００１５】
無線通信システムにおいて複数のコンポーネント・キャリアを介して移動装置と同時に通信できるネットワークのための、マルチメディア・ブロードキャスト・マルチキャスト・サービス（ＭＢＭＳ）受信を処理する方法を開示する。前記方法は、第２のタイプのコンポーネント・キャリアにおいて、第１のタイプのコンポーネント・キャリアに関連するコンフィギュレーション情報を送信する段階であって、前記第１のタイプの前記コンポーネント・キャリア及び前記第２のタイプの前記コンポーネント・キャリアは前記移動装置に対応する段階を有する。
【００１６】
無線通信システムの第１のシステム・バージョンの第１の移動装置及び前記無線通信システムの第２のシステム・バージョンの第２の移動装置と通信できるネットワークのための、マルチメディア・ブロードキャスト・マルチキャスト・サービス（ＭＢＭＳ）受信を処理する方法を開示する。前記方法は、コンポーネント・キャリアをＭＢＭＳ専用コンポーネント・キャリアとして用いる段階であって、前記第１のシステム・バージョンの前記第１の移動装置は前記コンポーネント・キャリアをサポートし、前記第２のシステム・バージョンの前記第２の移動装置は前記コンポーネント・キャリアをサポートしない段階を有する。
【００１７】
ＭＢＭＳ受信を処理するための無線通信システムの通信装置を開示する。前記通信装置は、複数のコンポーネント・キャリアをイネーブルする手段と、前記通信装置が前記ＭＢＳＦＮアロケーションを前記第１のイネーブルされたコンポーネント・キャリアで受信したとき、ＭＢＳＦＮアロケーションを、第１のイネーブルされたコンポーネント・キャリアに適用し、残りのイネーブルされたコンポーネント・キャリアに適用しない手段とを有する。
【００１８】
ＭＢＭＳ受信を処理するための無線通信システムの通信装置を開示する。前記通信装置は、第１のコンポーネント・キャリア及びＭＢＭＳ専用コンポーネント・キャリアをイネーブルする手段と、前記通信装置がＭＢＭＳデータを前記ＭＢＭＳ専用コンポーネント・キャリアで受信したとき、前記第１のコンポーネント・キャリアでデータ交換を実行する手段とを有し、前記第１のコンポーネント・キャリアは非ＭＢＭＳデータのデータ交換をサポートする。
【００１９】
ＭＢＭＳ受信を処理するための無線通信システムの通信装置を開示する。前記通信装置は、無線リソース制御アイドルモードに入る手段と、前記通信装置が前記無線リソース制御アイドルモードにあるとき、データ受信のために少なくとも２つのコンポーネント・キャリアをイネーブルする手段とを有する。
【００２０】
ＭＢＭＳ受信を処理するための無線通信システムの通信装置を開示する。前記通信装置は、第１のタイプのコンポーネント・キャリア、及び第２のタイプのコンポーネント・キャリアを移動装置にコンフィギュレーションする手段と、第１のタイプのコンポーネント・キャリアに関連するコンフィギュレーション情報を、前記第２のタイプのコンポーネント・キャリアで送信する手段とを有する。
【００２１】
ＭＢＭＳ受信を処理するための無線通信システムの通信装置を開示する。前記通信装置は、無線通信システムの第１のシステム・バージョンの第１の移動装置、及び前記無線通信システムの第２のシステム・バージョンの第２の移動装置と通信する手段と、コンポーネント・キャリアをＭＢＭＳ専用コンポーネント・キャリアとして用いる手段と、前記第１のシステム・バージョンの前記第１の移動装置は前記コンポーネント・キャリアをサポートし、前記第２のシステム・バージョンの前記第２の移動装置は前記コンポーネント・キャリアをサポートしない。
【００２２】
当業者には、添付した図面に示した好ましい実施例の詳細な説明を読めば、本開示の上記その他の目的が明らかにあるであろう。
【図面の簡単な説明】
【００２３】
【図１】一例としての無線通信システムを示す図である。
【図２】一例としての通信装置を示す図である。
【図３】一例としてのプロセスを示すフローチャートである。
【図４】図３によるコンポーネント・キャリアアロケーションを示す図である。
【図５】一例としてのプロセスを示すフローチャートである。
【図６】一例としてのプロセスを示すフローチャートである。
【図７】図６によるセル再選択を示す図である。
【図８】図６によるセル再選択を示す図である。
【図９】図６によるセル再選択を示す図である。
【図１０】図６によるセル再選択を示す図である。
【図１１】一例としてのプロセスを示すフローチャートである。
【図１２】一例としてのプロセスを示すフローチャートである。
【発明を実施するための形態】
【００２４】
図１を参照して、各移動装置に対して複数キャリア（例えば、キャリア・アグリゲーション）における同時送受信をサポートする一例としての無線通信システム１０（例えば、ロングターム・エボルーション−アドバンス（ＬＴＥ−Ａ）システム）を示す図である。本開示のコンセプトの説明の都合上、無線通信システム１０は単に移動装置１２とセルＣＥ１−ＣＥ４を含むものとして示した。キャリア・アグリゲーションの場合、移動装置１２は、セルＣＥ１、ＣＥ２に対応するコンポーネント・キャリアＣＣＡ１、ＣＣＡ２をそれぞれイネーブルする。移動装置１２はユーザ装置（ＵＥ）とも呼び、携帯電話やポータブルコンピュータシステムなどの装置である。セルＣＥ１、ＣＥ３はマルチメディア・ブロードキャスト・マルチキャスト・サービス（ＭＢＭＳ）専用セルであり、ＭＢＭＳ単一周波数ネットワーク（ＭＢＳＦＮ）エリアに属し、セルＣＥ１、ＣＥ３は適時に同期されＭＢＭＳサービスを提供する。セルＣＥ４は他のＭＢＳＦＮエリアに属するＭＢＭＳ専用セルである。したがって、コンポーネント・キャリアＣＣＡ１をＭＢＭＳ専用コンポーネント・キャリアとみなし、コンポーネント・キャリアＣＣＡ２を非ＭＢＭＳ専用コンポーネント・キャリアとみなすことができる。ＭＢＭＳ専用セル／コンポーネント・キャリアはＭＢＭＳサービス専用のセル／コンポーネント・キャリアのみを表し、一方、非ＭＢＭＳ専用コンポーネント・キャリアは非ＭＢＭＳデータ（例えば、ユニキャストデータ）、またはＭＢＭＳデータと非ＭＢＭＳデータの両方を送信するコンポーネント・キャリアを表す。移動装置１２は、セル選択／再選択のためのセルサーチを実行し、セルＣＥ３及び／またはＣＥ４を見つける。ネットワーク（例えば、ＣＥ１−ＣＥ４）と移動装置１２は、送信方向によって、送信機とも受信機ともみなせる。例えば、アップリンク（ＵＬ）の場合、移動装置１２は送信機であり、ネットワークは受信機である。ダウンリンク（ＤＬ）の場合、ネットワークは送信機であり、移動装置１２は受信機である。
【００２５】
図２を参照するに、一例としての通信装置２０を示す図である。通信装置２０は、図１の移動装置１２またはセルＣＥ１−ＣＥ４を制御するネットワークデバイスであり、マイクロプロセッサやＡＳＩＣ（特定用途集積回路）処理手段２００と記憶部２１０と通信インタフェース部２２０とを含む。記憶部２１０は処理手段２００がアクセスするプログラムコード２１４を格納できる任意のデータ記憶デバイスである。記憶部２１０の例には、加入者識別モジュール（ＳＩＭ）、リードオンリメモリ（ＲＯＭ）、ランダムアクセスメモリ（ＲＡＭ）、CD−ROM、磁気テープ、ハードディスク、及び光学データ記憶デバイスが含まれるが、これらに限定されない。通信インタフェース部２２０は、好ましくは無線送受信器であり、処理手段２００の処理結果に応じて他の通信装置と適宜、無線信号を交換する。プログラムコード２１４は、複数のコンポーネント・キャリア（例えば、キャリア・アグリゲーションイネーブリング、コンポーネント・キャリアアクティベーション／デ・アクティベーション、最大コンポーネント・キャリア数管理など）を管理する無線リソース制御と物理レイヤコンフィギュレーションを含む。このように、処理手段２００は、通信インタフェース部２２０を制御して、プログラムコード２１４の処理結果に応じて、一定の周波数帯域と時間において、シグナリング／データを受信する。
【００２６】
図３を参照して、無線通信システム（例えば、図１の移動装置１２）において、最大ｍ個（ｍ＞１）のコンポーネント・キャリアでデータを同時に受信できる移動装置のＭＢＭＳ送受信を処理する、一例としてのプロセス３０を示すフローチャートである。プロセス３０はプログラムコード２１４にコンパイルされ、次のステップを含む：
ステップ３００：開始。
ステップ３０２：アクセス可能コンポーネント・キャリアの複数のコンポーネント・キャリアをイネーブル。
ステップ３０４：移動装置がイネーブルされたコンポーネント・キャリアでＭＢＳＦＮアロケーションを受信したとき、ＭＢＳＦＮアロケーションを、イネーブルされたコンポーネント・キャリアの一つに適用し、残りのイネーブルされたコンポーネント・キャリアには適用しない。
ステップ３０６：終了。
【００２７】
プロセス３０では、ＵＥがアクセス（例えば、データを送信または受信する）するようにネットワークがコンフィギュレーションしたコンポーネント・キャリア以上を、ＵＥがイネーブルする。移動装置がイネーブルされたコンポーネント・キャリアでＭＢＳＦＮアロケーションを受信すると、移動装置はＭＢＳＦＮアロケーションをそのコンポーネント・キャリアのみに適用する。すなわち、移動装置は、ＭＢＳＦＮアロケーションを適用したコンポーネント・キャリアを介して、ＭＢＭＳサービスの受信を開始する。移動装置が対応するＭＢＳＦＮアロケーションを受信しなければ、残りのイネーブルされたコンポーネント・キャリアはＭＢＭＳデータ受信には用いられない。また、移動装置は、サブフレームのサブフレーム時間がＭＢＳＦＮサブフレーム時間としてコンフィギュレーションされたサブフレーム時間に対応する無線リソース制御接続（ＲＲＣ＿ＣＯＮＮＥＣＴＥＤ）モードにあるとき、残りのイネーブルされたコンポーネント・キャリアの一つ（以下、第２のイネーブルされたコンポーネント・キャリアと呼ぶ）のサブフレームがＭＢＳＦＮサブフレームでないと判断する。移動装置は、非ＭＢＭＳデータ（例えば、ユニキャストデータ）を、拡張キャリアであってもよい第２のイネーブルされたコンポーネント・キャリアを介して受信する。ＭＢＳＦＮアロケーションは、ＭＢＳＦＮ送信用サブフレーム数と、関連する無線フレーム期間及びオフセットのパラメータを含むシステム情報ブロック２（ＳＩＢ２）により転送される。移動装置の物理レイヤコンフィギュレーションには、最大８つのＭＢＳＦＮアロケーションを含む。ＭＢＭＳデータのＭＢＳＦＮアロケーションは、さらに、他のシステム情報ブロックにより送信されてもよい。
【００２８】
図４に示した例を参照する。移動装置コンポーネント・キャリアＣＣ１でＭＢＳＦＮアロケーションコンフィギュレーションを受信するが、他のコンポーネント・キャリアＣＣ２ではＭＢＳＦＮアロケーションコンフィギュレーションを受信しない。移動装置のコンポーネント・キャリアの各無線フレームは、８つのサブフレームを含む。ＭＢＳＦＮアロケーションコンフィギュレーションがサブフレーム数｛１，５｝を示すとき、移動装置は、コンポーネント・キャリアＣＣ１上の１つ以上の無線サブフレームのサブフレーム｛１，５｝を、ＭＢＳＦＮサブフレームと判断する。移動装置は、ＲＲＣ＿ＣＯＮＮＥＣＴＥＤモードにあるとき、コンポーネント・キャリアＣＣ２上のサブフレーム｛１，５｝はＭＢＳＦＮサブフレームではないと判断する。コンポーネント・キャリアＣＣ２は拡張キャリアであってもよい。
【００２９】
プロセス３０では、ネットワークがデータをサブフレームで送信するとき、移動装置は、サブフレーム時間が拡張キャリア中のＭＢＳＦＮサブフレーム時間に対応するサブフレーム中のダウンリンクデータ（例えば、ユニキャストデータ）を受信できる。そのため、データ損失は発生しない。
【００３０】
図５を参照する。図５は、無線通信システム（例えば、図１の移動装置１２）において、最大ｍ（ｍ＞１）個のコンポーネント・キャリア上のデータを同時に受信できる移動装置のためのＭＢＭＳ送受信を処理するために設けられた一例としてのプロセス５０を示すフローチャートである。プロセス５０はプログラムコード２１４にコンパイルされ、次のステップを含む：
ステップ５００：開始。
ステップ５０２：非ＭＢＭＳデータのデータ交換をサポートするコンポーネント・キャリアを決定または設定。
ステップ５０４：移動装置がＭＢＭＳデータをＭＢＭＳ専用コンポーネント・キャリアで受信したとき、コンポーネント・キャリアにおいてデータ交換を実行。
ステップ５０６：終了。
【００３１】
プロセス５０では、移動装置は、ネットワークコンフィギュレーションに従って、コンポーネント・キャリアにおいて、コンポーネント・キャリアが非ＭＢＭＳデータ交換（例えば、ユニキャストデータ交換）をサポートする、または非ＭＢＭＳデータ交換をイネーブルする設定をすると判断／発見する。この場合、移動装置は、ＭＢＭＳ専用コンポーネント・キャリアにおいてＭＢＭＳデータを受信するとき、コンポーネント・キャリアにおいて非ＭＢＭＳデータ交換を実行できる。ＭＢＭＳ専用コンポーネント・キャリアは、ＭＢＭＳ送信用のＭＢＭＳ専用セル（例えば、ＭＢＭＳサービスのために行うのではないユニキャスト送信でもブロードキャスト送信でもないＭＢＭＳ送信だけのためのセル）により用いられるコンポーネント・キャリアである。コンポーネント・キャリアは一つのセルに属する、一方ＭＢＭＳ専用コンポーネント・キャリアは他のセルまたはＭＢＳＦＮエリアに属する。言い換えると、移動装置は同時に、ＭＢＭＳ専用コンポーネント・キャリアでＭＢＭＳデータを受信し、非ＭＢＭＳ専用コンポーネント・キャリアで非ＭＢＭＳデータを受信する。ＭＢＭＳデータ受信も非ＭＢＭＳデータ転送も、ＭＢＭＳ／非ＭＢＭＳデータ転送の確立によって中断されない。
【００３２】
また、移動装置は、コンポーネント・キャリアでセルサーチ／選択をして、セルサーチ／選択の間、ＭＢＭＳ専用コンポーネント・キャリアにおけるＭＢＭＳデータの受信を停止または中断しない。プロセス５０では、移動装置は、ＭＢＭＳデータの受信を停止またはインターラプトせずに、非ＭＢＭＳデータを送信または受信できる。
【００３３】
図６を参照するに、一例としてのプロセス６０のフローチャートを示す。プロセス６０は、無線通信システム（例えば、図１の移動装置１２）において最大ｍ（ｍ＞１）のコンポーネント・キャリアでデータを同時受信できる移動装置のＭＢＭＳ送受信を処理するために設けられている。プロセス６０はプログラムコード２１４にコンパイルされ、次のステップを含む：
ステップ６００：開始
ステップ６０２：無線リソース制御アイドル（ＲＲＣ＿ＩＤＬＥ）モードに入る
ステップ６０４：データ受信用に少なくとも２つのコンポーネント・キャリアをイネーブル
ステップ６０６：終了
プロセス６０では、移動装置は、ＲＲＣ＿ＩＤＬＥモードにあるとき、非ＭＢＭＳデータ／ＭＢＭＳデータ受信の少なくとも２つのコンポーネント・キャリアをイネーブルする。移動装置は、１つのアンテナを用いてコンポーネント・キャリアの信号を受信するだけでもよい。イネーブルされるコンポーネント・キャリアは異なるセルに属するものでもよい。例えば、移動装置は、同時に、非ＭＢＭＳデータ送受信を提供する第１のコンポーネント・キャリアを介してセルにキャンプオンし、ＭＢＭＳ専用コンポーネント・キャリアを介してＭＢＭＳデータを受信する。言い換えると、移動装置は、システム情報を保持しつつ、それとは別にコンポーネント・キャリアが異なるセルにおけるセル選択または再選択を管理することができる。そのため、移動装置は、ＲＲＣ＿ＩＤＬＥモードにおいて、２つ以上のコンポーネント・キャリアを用いることができる。
【００３４】
さらに、移動装置は、時分割多重（ＴＤＤ）で動作しているとき、第１のコンポーネント・キャリアでデータ（例えば、ユニキャストデータ）を送信し、周波数分割多重（ＦＤＤ）で動作しているとき、第１のコンポーネント・キャリアに関連するアップリンク・コンポーネント・キャリアでデータを送信する。
【００３５】
また、移動装置は、セル再選択のために、非ＭＢＭＳコンポーネント・キャリアを測定する。移動装置は、移動装置のサービス中のセルが提供するよりも、非ＭＢＭＳサービスにおいて、そのセルがよりよい信号品質を提供することを発見すると、移動装置は、ＭＢＭＳ専用コンポーネント・キャリアのどの進行中のＭＢＭＳデータ受信も停止せずに、セルを再選択する。図７に示した例では、ＲＲＣ＿ＩＤＬＥモードにある移動装置７０は、非ＭＢＭＳデータ送受信のためにコンポーネント・キャリアＣＣ１でセルＣＥ５にキャンプオンし、ＭＢＳＦＮエリアでは、ＭＢＭＳ専用コンポーネント・キャリアＣＣ２でＭＢＭＳデータを受信する。セルＣＥ５は、移動装置７０のサービス中のセルである。移動装置７０は、コンポーネント・キャリアＣＣ１でセルＣＥ６を測定し、信号強度及びオフセットの計算であり、３ＧＰＰ仕様書：３ＧＰＰ  ＴＳ  ３６．３０４「ＩＤＬＥモードにおけるユーザ装置（ＵＥ）手順」により行われるセル再選択基準に基づき、セルＣＥ６がセルＣＥ５よりもよりよい通信環境を提供すると発見する。この場合、図８に示したように、移動装置７０は、コンポーネント・キャリアＣＣ１でセルＣＥ６を再選択し、中断無くＭＢＭＳ専用コンポーネント・キャリアＣＣ２でＭＢＭＳデータを受信し続ける。
【００３６】
図９に示した他の例では、ＲＲＣ＿ＩＤＬＥモードにある移動装置９０は、非ＭＢＭＳデータ送受信のために、コンポーネント・キャリアＣＣ１でセルＣＥ７にキャンプオンし、ＭＢＭＳ専用コンポーネント・キャリアＣＣ２でＭＢＳＦＮエリアＭＡ１のサービス中のＭＢＭＳ専用セルからＭＢＭＳデータを受信する。移動装置９０は、ＭＢＭＳ専用セル再選択のために、ＭＢＭＳ専用コンポーネント・キャリアＣＣ２を測定する。移動装置９０は、ＭＢＳＦＮエリアＭＡ２の新しいＭＢＭＳ専用セルが、サービス中のＭＢＭＳ専用セルよりよいと発見すると、図１０に示したように、ＭＢＭＳ専用セルを再選択する。好ましくは、選択されたＭＢＭＳ専用セルは、サービス中のＭＢＭＳ専用セルとは異なるＭＢＳＦＮエリアに属する。
【００３７】
図１１を参照する。これは、無線通信システムにおけるネットワークのためのＭＢＭＳ送受信処理のための、一例としてのプロセス１１００のフローチャートである。プロセス１１００は、プログラムコード２１４にコンパイルされ、次のステップを含む：
ステップ１１０２：開始。
ステップ１１０４：第１のタイプのコンポーネント・キャリア（以下、第１のタイプコンポーネント・キャリア）、及び第２のタイプのコンポーネント・キャリア（以下、第２のタイプコンポーネント・キャリア）をイネーブルするように移動装置をコンフィギュレーションする。
ステップ１１０６：第１のタイプコンポーネント・キャリアに関連するコンフィギュレーション情報を、第２のタイプコンポーネント・キャリアで送信。
ステップ１１０８：終了。
【００３８】
プロセス１１００では、ネットワーク（例えば、セル、ｅＮＢ、基地局、またはE−ＵＴＲＡＮ）は、キャリア・アグリゲーションのために、第１のタイプコンポーネント・キャリア及び第２のタイプコンポーネント・キャリアをイネーブルするように移動装置をコンフィギュレーションする。言い換えると、移動装置は、同時に、第１のタイプ及び第２のタイプのコンポーネント・キャリアで、ネットワークと通信できる。この後、ネットワークは第１のタイプコンポーネント・キャリアに関連するコンフィギュレーション情報を第２のタイプコンポーネント・キャリアで送信する。それゆえ、本実施例では、一タイプのコンポーネント・キャリアに関連するコンフィギュレーション情報を、他のタイプのコンポーネント・キャリアで送信することができ、その結果コンフィギュレーションアロケーションフレキシビリティが改善する。
【００３９】
例えば、ネットワークは、非ＭＢＭＳ専用コンポーネント・キャリアまたは他のＭＢＭＳ専用コンポーネント・キャリアでＭＢＭＳ専用コンポーネント・キャリアに関連するコンフィギュレーション情報を送信する。コンフィギュレーション情報は、ＲＲＣメッセージを介して移動装置に送信される。したがって、移動装置は、コンフィギュレーション情報によって、非ＭＢＭＳ専用コンポーネント・キャリアでＲＲＣメッセージを受信し、ＭＢＭＳ専用コンポーネント・キャリアでＭＢＭＳデータを受信する。ＲＲＣメッセージは、ブロードキャストＲＲＣメッセージ、またはその移動装置専用のＲＲＣメッセージである。コンフィギュレーション情報は、移動装置自機の無線周波数（ＲＦ）受信機をコンフィギュレーション情報が示す周波数にして、ＭＢＭＳサービスを受信できるようにコンフィギュレーションするためのＭＢＭＳ専用コンポーネント・キャリアの周波数情報を含む。コンフィギュレーション情報は、ＭＢＳＦＮアロケーション、ＭＢＭＳ制御チャンネル（ＭＣＣＨ）情報、ＭＢＭＳトラフィックチャンネル（ＭＴＣＨ）情報、または動的スケジューリング情報をさらに含んでいてもよい。
【００４０】
上記からわかるように、コンフィギュレーションするＭＢＭＳ専用コンポーネント・キャリアは、非ＭＢＭＳ専用コンポーネント・キャリアまたは他のＭＢＭＳ専用コンポーネント・キャリアに関連する。ＭＢＭＳ専用コンポーネント・キャリアは、他のＭＢＭＳ専用コンポーネント・キャリアに関連するとき、拡張キャリアであってもよい。
【００４１】
他の例では、ネットワークは、ＭＢＭＳ専用コンポーネント・キャリアで、ＲＲＣメッセージを介して、非ＭＢＭＳ専用コンポーネント・キャリアに関連するコンフィギュレーション情報を送信できる。したがって、移動装置は、ＭＢＭＳ専用コンポーネント・キャリアでＲＲＣメッセージを受信し、非ＭＢＭＳデータを送信する必要がある場合、非ＭＢＭＳ専用コンポーネント・キャリアで非ＭＢＭＳデータ（例えば、ユニキャストデータ）を送信する。ＲＲＣメッセージは、ブロードキャストＲＲＣメッセージまたはその移動装置専用のＲＲＣメッセージである。コンフィギュレーション情報は、非ＭＢＭＳ専用コンポーネント・キャリアの周波数情報を含み、そのため移動装置は、自機のＲＦ送信機または自機の受信機を非ＭＢＭＳ専用コンポーネント・キャリアの周波数にして、非ＭＢＭＳデータを送受信できる。移動装置は、ＲＲＣ＿ＩＤＬＥモードにあるとき、ランダムアクセス手順を実行して非ＭＢＭＳデータを送信する。
【００４２】
図１２を参照する。これは、２つのタイプのシステム・バージョン移動装置との通信をサポートするネットワークに対してＭＢＭＳ送受信を処理するために設けられた、一例としてのプロセス１２００のフローチャートである。このタイプのシステム・バージョンの移動装置は、完全にまたは部分的に異なるコンポーネント・キャリア周波数帯域を用いる。プロセス１２００は、プログラムコード２１４にコンパイルされ、次のステップを含む：
ステップ１２０２：開始。
ステップ１２０４：コンポーネント・キャリアをＭＢＭＳ専用コンポーネント・キャリアとして用いる。一システム・バージョンの移動装置はコンポーネント・キャリアをサポートし、他のシステム・バージョンの移動装置はコンポーネント・キャリアをサポートしない。
ステップ１２０６：終了。
【００４３】
プロセス１２００では、ネットワーク（例えば、セル、ｅＮＢ、基地局またはE−ＵＴＲＡＮ）は、上記のコンポーネント・キャリアをＭＢＭＳ専用コンポーネント・キャリアとして用いる。このように、他のシステム・バージョンがコンポーネント・キャリアをサポートしない移動装置は、キャンプオン（camp  on）するコンポーネント・キャリアのデータ送信のみを提供するセルを選択しない。
【００４４】
例えば、ＬＴＥ／ＬＴＥ−Ａシステムを考える。リリース８ＵＥまたはリリース９ＵＥ（ＬＴＥ  ＵＥ）はレガシーＵＥと考えられる。セルが、ＭＢＭＳ専用コンポーネント・キャリアにおいてＭＢＭＳデータ転送を提供するためだけに展開され、リリース８／９ＵＥにより選択されるとき、リリース８／９ＵＥが非ＭＢＭＳデータにアクセスすることは可能ではない。プロセス１２００により、ネットワークは、リリース８／９ＵＥがＭＢＭＳ専用コンポーネント・キャリアとしてサポートしないコンポーネント・キャリアを使用する。そのため、セルがＭＢＭＳ専用コンポーネント・キャリアにおいてＭＢＭＳデータ転送を提供するためだけに展開されているとき、このセルは、セル選択／再選択のときに、リリース１０ＵＥ（互換ＵＥ）により選択されるだけであり、リリース８／９ＵＥによっては選択されない。それゆえ、リリース８／９ＵＥは、そのセルにはスタック（stuck）されず、非ＭＢＭＳデータへのアクセスをサポートするセルを見つけることができる。
【００４５】
留意すべき点として、提案したステップを含む上記のプロセスステップは、ハードウェア、ハードウェア装置とそのハードウェア装置上に読み取り専用ソフトウェアとして保存されたコンピュータ命令とデータの組み合わせとして知られるファームウェア、または電子システムなどの手段により実現できる。ハードウェアの例には、マイクロ回路、マイクロチップ、またはシリコンチップとして知られたアナログ、デジタル、及び混合回路を含む。電子システムの例には、システムオンチップ（ＳＯＣ）、システムインパッケージ（Ｓｉｐ）、コンピュータオンモジュール（ＣＯＭ）、及び通信装置２０が含まれる。
【００４６】
結論として、上記の実施例は、データ損失を回避するために複数キャリア（キャリア・アグリゲーション）をイネーブルしたとき、移動装置（ＵＥ）がＭＢＳＦＮアロケーションを適用する方法を提供する。また、上記の実施例は、ＭＢＭＳ及びユニキャスト送信が両方ともアクティブ化されているとき、移動装置（ＵＥ）がＭＢＭＳ／ユニキャスト送信を行う方法を提供する。さらに、上記実施例は、システム・バージョンが異なる移動装置が複数同時に存在することを考慮して、ネットワークがＭＢＭＳサービスリソースを割り当てる方法を提供する。
【００４７】
当業者には言うまでもなく、本発明の教示を保持しつつ上記の装置や方法にいろいろな修正・変更をすることができる。したがって、上記の開示は、添付した特許請求の範囲によってのみ限定されると解釈すべきである。
なお、上記実施形態について以下の付記を記す。
（付記１）  無線通信システムにおける移動装置のマルチメディア・ブロードキャスト・マルチキャスト・サービス（ＭＢＭＳ）送受信を処理する方法であって、前記方法は、
複数のコンポーネント・キャリアをイネーブルする段階と、
前記移動装置が第１のイネーブルされたコンポーネント・キャリアで前記ＭＢＳＦＮアロケーションを受信したとき、ＭＢＭＳ単一周波数ネットワーク（ＭＢＳＦＮ）アロケーションを、第１のイネーブルされたコンポーネント・キャリアに適用し、残りのイネーブルされたコンポーネント・キャリアには適用しない段階とを有する、方法。
（付記２）  前記サブフレームのサブフレーム時間がＭＢＳＦＮサブフレーム時間としてコンフィギュレーションされたサブフレーム時間に対応する無線リソース制御接続モードに前記移動装置があるとき、第２のイネーブルされたコンポーネント・キャリアのサブフレームがＭＢＭＳデータの受信に用いるＭＢＳＦＮサブフレームではないと判断する段階、または
前記第２のイネーブルされたコンポーネント・キャリアを介して非ＭＢＭＳデータを受信する段階をさらに有する、
付記１に記載の方法。
（付記３）  前記第２のイネーブルされたコンポーネント・キャリアは拡張キャリアである、付記２に記載の方法。
（付記４）  無線通信システムにおいて移動装置のマルチメディア・ブロードキャスト・マルチキャスト・サービス（ＭＢＭＳ）送受信を処理する方法であって、前記方法は、
前記移動装置がＭＢＭＳ専用コンポーネント・キャリアでＭＢＭＳデータを受信したとき、第１のコンポーネント・キャリアでデータ交換を実行する段階を有し、前記第１のコンポーネント・キャリアは非ＭＢＭＳデータのデータ交換をサポートする、方法。
（付記５）  前記第１のコンポーネント・キャリアまたは第３のコンポーネント・キャリアでセルサーチまたはセル選択を実行する段階、または
前記セルサーチまたは前記セル選択の間、前記ＭＢＭＳ専用コンポーネント・キャリアにおける前記ＭＢＭＳデータを停止または中断しない段階をさらに有する、
付記４に記載の方法。
（付記６）  無線通信システムにおいて移動装置のマルチメディア・ブロードキャスト・マルチキャスト・サービス（ＭＢＭＳ）送受信を処理する方法であって、前記方法は、
前記移動装置が無線リソース制御アイドルモードにあるとき、データ受信用の少なくとも２つのコンポーネント・キャリアをイネーブルする段階を有する、方法。
（付記７）  前記第１のコンポーネント・キャリアが非ＭＢＭＳデータ交換を提供し、前記第２のコンポーネント・キャリアがＭＢＭＳ専用コンポーネント・キャリアであるとき、同時に、前記少なくとも２つのコンポーネント・キャリアの第１のコンポーネント・キャリアを介してセルにキャンプオンし、前記少なくとも２つのコンポーネント・キャリアの第２のコンポーネント・キャリアを介してＭＢＭＳデータを受信する段階、または
前記移動装置が時分割多重（ＴＤＤ）で動作しているとき、前記少なくとも２つのコンポーネント・キャリアの前記第１のコンポーネント・キャリアで非ＭＢＭＳデータを送信する段階、または
前記移動装置が周波数分割多重（ＦＤＤ）で動作しているとき、前記第１のコンポーネント・キャリアに関連するアップリンク・コンポーネント・キャリアにおいて、前記非ＭＢＭＳデータを送信する段階をさらに有する、付記６に記載の方法。
（付記８）  セル再選択のため、前記少なくとも２つのコンポーネント・キャリアの第１のコンポーネント・キャリアを測定する段階であって、前記第１のコンポーネント・キャリアはＭＢＭＳ専用コンポーネントではない段階、または
セル再選択基準により、前記移動装置のサービス中のセルよりも前記セルの方がよいと前記移動装置が発見したとき、前記少なくとも２つのコンポーネント・キャリアのＭＢＭＳ専用コンポーネント・キャリアの進行中のＭＢＭＳデータ受信を停止することなく非ＭＢＭＳデータ交換をサポートするセルを再選択する段階、または
前記ＭＢＭＳ専用セルが、ＭＢＭＳサービスにおいて、前記移動装置のサービス中のＭＢＭＳ専用セルが提供する信号品質よりよい信号品質を提供することを前記移動装置が発見したとき、ＭＢＭＳ専用セルを再選択する段階であって、前記再選択されたＭＢＭＳ専用セル及び前記サービス中のＭＢＭＳ専用セルは第１のＭＢＭＳ単一周波数ネットワーク（ＭＢＳＦＮ）エリア及び第２のＭＢＳＦＮエリアにそれぞれ属する段階、をさらに有する
付記６に記載の方法。
（付記９）  １つのアンテナを用いて前記少なくとも２つのコンポーネント・キャリアを操作する段階をさらに有する、
付記６に記載の方法。
（付記１０）  無線通信システムにおいて複数のコンポーネント・キャリアを介して移動装置と同時に通信できるネットワークのための、マルチメディア・ブロードキャスト・マルチキャスト・サービス（ＭＢＭＳ）送受信を処理する方法であって、前記方法は、
第２のタイプのコンポーネント・キャリアにおいて、第１のタイプのコンポーネント・キャリアに関連するコンフィギュレーション情報を送信する段階であって、前記第１のタイプの前記コンポーネント・キャリア及び前記第２のタイプの前記コンポーネント・キャリアは前記移動装置に対応する段階を有する、方法。
（付記１１）  前記第１のタイプの前記コンポーネント・キャリアは、第１のＭＢＭＳ専用タイプのコンポーネント・キャリアであり、前記第２のタイプの前記コンポーネント・キャリアは、ＭＢＭＳデータ受信専用ではないコンポーネント・キャリア、または第２のＭＢＭＳ専用タイプのコンポーネント・キャリアであり、または
前記第２のタイプの前記コンポーネント・キャリアが前記第２のＭＢＭＳ専用タイプコンポーネント・キャリアであるとき、前記第２のタイプの前記コンポーネント・キャリアは拡張キャリアである、
付記１０に記載の方法。
（付記１２）  前記第１のタイプの前記コンポーネント・キャリアはＭＢＭＳデータ受信専用ではないコンポーネント・キャリアであり、前記第２のタイプの前記コンポーネント・キャリアはＭＢＭＳ専用タイプコンポーネント・キャリアである、
付記１０に記載の方法。
（付記１３）  前記第２のタイプの前記コンポーネント・キャリアで前記第１のタイプの前記コンポーネント・キャリアと関連する前記コンフィギュレーション情報を送信する段階は、無線リソース制御メッセージを介して、前記第２のタイプの前記コンポーネント・キャリアで前記コンフィギュレーション情報を送信する段階を有する、付記１０に記載の方法。
（付記１４）  無線通信システムの第１のシステム・バージョンの第１の移動装置及び前記無線通信システムの第２のシステム・バージョンの第２の移動装置と通信できるネットワークのための、マルチメディア・ブロードキャスト・マルチキャスト・サービス（ＭＢＭＳ）送受信を処理する方法であって、前記方法は、
コンポーネント・キャリアをＭＢＭＳ専用コンポーネント・キャリアとして用いる段階であって、前記第１のシステム・バージョンの前記第１の移動装置は前記コンポーネント・キャリアをサポートし、前記第２のシステム・バージョンの前記第２の移動装置は前記コンポーネント・キャリアをサポートしない段階を有する方法。
【符号の説明】
【００４８】
１０  無線通信システム
１２  移動装置
２０  通信装置
２００  処理手段
２１０  メモリ部
２１４  プログラムコード
２２０  通信インタフェース部
７０、９０  移動装置
【図１】
0005437509.tif 000002
【図２】
0005437509.tif 000003
【図３】
0005437509.tif 000004
【図４】
0005437509.tif 000005
【図５】
0005437509.tif 000006
【図６】
0005437509.tif 000007
【図７】
0005437509.tif 000008
【図８】
0005437509.tif 000009
【図９】
0005437509.tif 000010
【図１０】
0005437509.tif 000011
【図１１】
0005437509.tif 000012
【図１２】
0005437509.tif 000013